(57)【特許請求の範囲】
【請求項１】
受信機からの伝送路に複数のアナログ火災感知器を接続し、受信機からの順次呼出しによりアナログ火災感知器から検出データを返送させ、該検出データに基づいて受信機で火災を判断する火災報知装置に於いて、
同じ警戒区域に設置されたアナログ煙感知器及びアナログ熱感知器と、
前記アナログ煙感知器又はアナログ熱感知器の検出レベルが所定の火災判定レベルに達した時に蓄積を開始し、所定の蓄積処理後に真火災を示す火災判定信号を出力する火災レベル判定部と、
前記アナログ煙感知器又はアナログ熱感知器の検出レベルが前記火災判定レベルより低い所定のプリアラームレベルに達した時に、プリアラーム判定信号を出力するプリアラーム判定部と、
前記プリアラーム判定部で同じ警戒区域に設置された前記アナログ煙感知器とアナログ熱感知器の両方のプリアラームを判定した際に、前記火災レベル判定部の蓄積処理を解除し、いずれかのアナログ火災感知器の検出レベルが前記火災判定レベルに達した時に直ちに火災判定信号を出力させる蓄積解除部と、
を備えたことを特徴とする火災報知装置。
【請求項２】
請求項１記載の火災報知装置に於いて、前記蓄積解除部は、前記プリアラーム判定部から出力されるアナログ煙感知器のプリアラーム判定信号とアナログ熱感知器のプリアラーム判定信号の論理積出力により前記火災レベル判定部の蓄積処理を解除し、前記アナログ煙感知器又はアナログ熱感知器の検出レベルが前記火災判定レベルに達した時に火災判定信号を直ちに出力させることを特徴とする火災報知装置。
【請求項３】
請求項１記載の火災報知装置に於いて、
前記火災レベル判定部は、前記受信機からの呼出しで得られた検出データが前記火災判定レベルに達するごとにカウントアップされる蓄積カウンタを備え、該蓄積カウンタの計数値が所定値に達したときに、火災判定信号を出力し、
前記蓄積解除部は、同じ警戒区域に設置された前記アナログ煙感知器とアナログ熱感知器の両方のプリアラームを判定した際には、前記蓄積カウンタをバイパスして係数値が所定値未満でも火災判定信号を出力させることを特徴とする火災報知装置。
【発明の詳細な説明】
【０００１】
【発明の属する技術分野】
本発明は、アナログ煙感知器とアナログ熱感知器を同じ監視区域に設置して火災を監視する火災報知装置に関する。
【０００２】
【従来の技術】
従来、アナログ火災感知器を設置した火災報知装置にあっては、複数のアナログ火災感知器を警戒区域に設置し、受信機からのアドレス指定によるポーリングによって検出データを一定周期毎に収集し、アナログ火災感知器の検出レベルが所定の火災判定レベルに達したときに火災と判断し、火災警報を出すようにしている。
【０００３】
また、誤報を防止するために受信機側に蓄積カウンタを設け、火災を判断する毎に蓄積カウンタをカウントアップし、所定時間内にカウンタ計数値が所定値に達した時に火災と判断して火災判定信号を出力する蓄積処理を行っている。
更に、特開平７−１８２５７３号のものにあっては、１つの警戒区域に設置した複数のアナログ火災感知器の検出レベルが、火災判定レベルより低めに設定されたプリアラームレベルに相当する基準レベルに達したときに、他の火災感知器の火災判断レベルを下げて検出感度を高め、火災判断を迅速にできるようにしている。
【０００４】
【発明が解決しようとする課題】
しかしながら、このような従来のアナログ火災感知器を用いた火災報知装置にあっては、アナログ火災感知器として、火災による煙濃度を検出するアナログ煙感知器か、火災による温度を検出するアナログ熱感知器のいずれか一方を使用しており、火災の状況や設置場所によっては、火災判断に時間がかかったり、火災を誤判断しやすい問題があった。
【０００５】
例えば、煙が多い燻焼性の火災については、アナログ熱感知器を設置していると、温度がなかなか増加しないことから火災の検出に時間がかかる。また発火性の火災では煙がほとんどでないため、アナログ煙感知器を設置していると火災の検出に時間がかかる問題がある。
一方、調理室や会議室等のように水蒸気や煙の多い場所にアナログ煙感知器を設置していると火災を誤判断することが多い。また窓際等の温度が上昇し易い場所にアナログ熱感知器を設置していると、夏場等に火災を誤判断し易いとう問題がある。
【０００６】
本発明は、このような従来の問題点に鑑みてなされたもので、アナログ火災感知器を用いて、誤報が少なく真火災を確実に判断することのできる火災報知装置を提供することを目的とする。
【０００７】
【課題を解決するための手段】
この目的を達成するため本発明は、次のように構成する。まず本発明は、受信機からの伝送路に複数のアナログ火災感知器を接続し、受信機からの順次呼出しによりアナログ火災感知器から検出データを返送させ、この検出データに基づいて受信機で火災を判断する火災報知装置を対象とする。
【０００８】
まず本発明は、同じ警戒区域にアナログ煙感知器及びアナログ熱感知器を設置する。そして、火災レベル判定部、プリアラーム判定部及び蓄積解除部を設ける。火災レベル判定部は、アナログ煙感知器又はアナログ熱感知器の検出レベルが所定の火災判定レベルに達した時に蓄積を開始し、所定の蓄積処理後に真火災を示す火災判定信号を出力する。
【０００９】
プリアラーム判定部は、アナログ煙感知器又はアナログ熱感知器の検出レベルが火災判定レベルより低い所定のプリアラームレベルに達した時に、プリアラーム判定信号を出力する。
更に、蓄積解除部は、プリアラーム判定部で同じ警戒区域に設置されたアナログ煙感知器とアナログ熱感知器の両方のプリアラームを判定した際に、火災レベル判定部の蓄積処理を解除し、アナログ煙感知器又はアナログ熱感知器の検出レベルが火災判定レベルに達した時に火災判定信号を直ちに出力させる。
【００１０】
蓄積解除部は、プリアラーム判定部から出力されるアナログ煙感知器のプリアラーム判定信号とアナログ熱感知器のプリアラーム判定信号の論理積出力により火災レベル判定部の蓄積処理を解除し、いずれかのアナログ火災感知器の検出レベルが火災判定レベルに達した時に直ちに火災判定信号を出力させる。
火災レベル判定部は、受信機からの呼出しで得られた検出データが火災判定レベルに達している時にカウントアップされる蓄積カウンタを備え、蓄積カウンタの計数値が所定値に達したときに、火災判定信号を出力する。また蓄積解除部で同じ警戒区域に設置されたアナログ煙感知器とアナログ熱感知器の両方のプリアラームを判定した際には、蓄積カウンタをバイパスして計数値が所定値未満でも火災判定信号を出力させる。
【００１１】
このような本発明の火災報知装置によれば、同じ警戒区域に設置しているアナログ煙感知器とアナログ熱感知器の両方についてプリアラームの判定結果が得られたときに、同じ警戒区域に設置している全てのアナログ火災感知器の蓄積処理を解除する。この場合、煙と熱という異なった物理量を同時に判断していることから、誤報によって両方がプリアラームレベルになるような確率は極めて低く、真火災の場合に限られる。
【００１２】
そして煙と熱の両方のプリアラームレベルとなったときに、その警戒区域に設置しているアナログ火災感知器につき、蓄積処理による火災判断を解除し、火災レベルへの到達で迅速に火災と判断する。この結果、誤報が少なく、真火災を確実且つ迅速に判断することができる。
【００１３】
【発明の実施の形態】
図１は本発明の火災報知装置の実施形態のブロック図である。図１において、受信機１には端末伝送部１０と各種の火災受信制御を行うマイクロプロセッサ  （以下「ＭＰＵ」という）１２が設けられる。受信機１からは例えば伝送路２−１，２−２が引き出され、例えば伝送路２−１側を例にとると、中継器３、アナログ煙感知器５、アナログ熱感知器６及び発信機７等を接続している。
【００１４】
中継器３からは感知器回線が引き出され、この感知器回線にオンオフ型の火災感知器４を接続している。伝送路２−１に接続された中継器３、アナログ煙感知器５、アナログ熱感知器６、発信機７のそれぞれに対しては、予め端末アドレスが割り当てられている。
端末アドレスは１伝送路当たり例えば１２７アドレスを使用することができる。受信機１の端末伝送部１０は、伝送路２−１に接続された端末に対し一定周期ごとに順次アドレスを指定した呼出しを行い、この受信機１側からの呼出しに対し、アドレス一致を判別した端末から検出データの返送が行われる。
【００１５】
この受信機１の呼出しによる端末からの検出データは、中継器３にあっては、感知器回線に接続しているオンオフ型火災感知器４の発報の有無を示す発報データであり、アナログ煙感知器５にあっては、そのときの煙濃度に応じた検出データであり、熱感知器６にあっては、そのときの検出温度に対応した検出データであり、更に発信機７にあっては、火災時の押しボタン操作によるスイッチオンオフ信号となる。このような伝送路２−１に対する端末の接続は、伝送路２−２側についても基本的に同じである。
【００１６】
図１の実施形態にあっては、伝送路２−１側については、会議室８にアナログ煙感知器５とアナログ熱感知器６を設置している。また伝送路２−２側については、別の会議室９にアナログ煙感知器５とアナログ熱感知器６を接続している。即ち本発明の火災報知装置にあっては、同じ警戒区域にアナログ煙感知器５とアナログ熱感知器６の組を必ず１つ設置している。もちろん必要に応じて、それ以上の煙感知器５及びまたはアナログ熱感知器６を設けることは自由である。
【００１７】
図２は図１の受信機１に設けたＭＰＵ１２により実現される本発明の火災報知装置における処理機能の機能ブロック図である。このＭＰＵ１２による受信処理機能は、プリアラーム判定部１４、プリアラームテーブル１６、比較部１８、火災レベル判定部２０、蓄積カウンタ２２、ＡＮＤ回路２４及びＯＲ回路２６で構成される。
【００１８】
プリアラーム判定部１４は、図１の受信機１に設けた端末伝送部１０による端末呼出しで返送されたアナログ煙感知器５及びアナログ熱感知器６の検出データである受信データを入力し、予め定めた所定のプリアラームレベルと比較している。同時に、アナログ煙感知器５及びアナログ熱感知器６からの受信データは火災レベル判定部２０に与えられ、所定の火災レベルと比較されている。
【００１９】
ここで火災レベル判定部２０に設定している火災判定レベルは、アナログ煙感知器５については例えば煙濃度１０％／ｍであり、またアナログ熱感知器６については６５℃である。これに対しプリアラーム判定部１４にあっては、火災判定レベルより低いプリアラームレベルを設定している。このプリアラームレベルは、アナログ煙感知器５については例えば煙濃度５％／ｍであり、アナログ熱感知器６については例えば５５℃である。
【００２０】
プリアラーム判定部１４は、アナログ煙感知器５またはアナログ熱感知器６からの受信データが予め設定した所定のプリアラームレベルに達すると、プリアラーム判定データ（プリアラーム判定信号）Ｄ１を出力する。プリアラーム判定データＤ１は、プリアラームテーブル１６に登録されると同時に比較部１８に与えられる。
【００２１】
プリアラームテーブル１６には、プリアラーム判定部１４からプリアラーム判定データＤ１が得られるごとに、「区画，プリアラーム，種別」のフォーマットをもつデータが登録される。プリアラーム判定部１４は、プリアラーム判定データＤ１を出力すると同時に、プリアラームテーブル１６に対しテーブルアドレスとして区画データＡ１を常に出力し、プリアラームテーブル１６に既に登録されている最新の同じ区画のプリアラーム判定データＤ２を読み出して、比較部１８に供給する。
【００２２】
比較部１８は、プリアラーム判定部１４から出力された現時点のプリアラーム判定データＤ１とプリアラームテーブル１６に登録された過去のプリアラーム判定データＤ１とを比較し、同一区画で煙と熱のプリアラーム判定結果が得られていることを比較判定したときに、Ｈレベルとなる比較信号Ｅ１を出力する。
一方、火災レベル判定部２０に続いては蓄積カウンタ２２が設けられる。蓄積カウンタ２２は、火災レベル判定部２０においてアナログ煙感知器５またはアナログ熱感知器６の呼出しで得られた受信データが所定の火災レベルに達したときの火災レベル判定出力Ｅ２をカウントアップする。
【００２３】
蓄積カウンタ２２は火災レベル判定出力Ｅ２を続けて２カウントしたときにカウンタ出力Ｅ３を生じ、ＯＲ回路２６を介してこれを火災判断出力Ｅ５として送出し、受信機１における火災表示、火災警報出力、更に外部に対する移報出力等を行わせる。
比較部１８でアナログ煙感知器５とアナログ熱感知器６の両方についてのプリアラームレベル判定結果を比較判定してＨレベルの比較出力Ｅ１が得られた場合には、蓄積カウンタ２２に並列に設けているＡＮＤ回路２４を許容状態とする。
【００２４】
このため、その後に火災レベル判定部２０で同じ区画についてアナログ煙感知器５またはアナログ熱感知器６の受信データのいずれかが所定の火災レベルに達することで火災レベル判定信号Ｅ２が出力されると、比較部１８の比較出力Ｅ１により許容状態にあるＡＮＤ回路２４により蓄積カウンタ２２をバイパスして出力信号Ｅ４が得られ、これによってＯＲ回路２６より火災判断出力Ｅ５が外部に送出される。
【００２５】
即ち、比較部１８による同一区画の熱と煙の両方のプリアラーム判定結果に基づいた蓄積動作の解除により、その後、熱または煙のいずれかが火災レベルに達したら直ちに火災判断出力を送出するようにしている。
このことから、比較部１８、ＡＮＤ回路２４及びＯＲ回路２６は、蓄積カウンタ２２の蓄積機能を解除する蓄積解除部を構成している。
【００２６】
図３は、図２の機能を備えた図１の実施形態における受信機１のＭＰＵ１２による処理動作のフローチャートである。まず受信機１の電源投入により装置を立ち上げると、ステップＳ１で各種の初期設定が行われる。初期設定が済むと定常監視状態に入り、端末伝送部１０のアドレス指定による端末呼出しが伝送路２−１，２−２ごとに独立に行われている。
【００２７】
ＭＰＵ１２は、定常監視状態では、受信機１に設けている復旧スイッチがオンか否かステップＳ２でチェックし、通常、復旧スイッチはオンしていないことからステップＳ３に進み、アナログ煙感知器５またはアナログ熱感知器６の応答による検出データに何等かの変化を生ずるイベントがあるか否かチェックする。
ステップＳ３で検出データが変動してイベントありが判別されるとステップＳ４に進み、検出データを煙または熱ごとに定めた所定のプリアラームレベルと比較する。検出データがプリアラームレベルに達していればステップＳ５に進み、種別はアナログ煙感知器か否かチェックする。
【００２８】
アナログ煙感知器であればステップＳ６に進み、同一区画でアナログ熱感知器によるプリアラームが既に判定されているか否かチェックする。同一区域で既にアナログ熱感知器のプリアラームが判定されていると、同一区画に設けている全てのアナログ火災感知器を対象に蓄積処理を解除する。
一方、ステップＳ５で種別がアナログ煙感知器５でなくアナログ熱感知器６であった場合には、ステップＳ７に進み、逆に同一区画で種別の異なるアナログ煙感知器についてもプリアラーム判定が既にあるか否かチェックする。もしアナログ煙感知器について既にプリアラーム判定があれば、同様にステップＳ８に進み、同一区画に設けている全てのアナログ感知器の蓄積処理を解除する。
【００２９】
ステップＳ６，Ｓ７で、種別の異なる他のアナログ火災感知器のプリアラームの判定がなければ、再びステップＳ２に戻り、次のイベントによる処理を待つ。続いてステップＳ９で、検出レベルが火災レベルか否かチェックする。もし火災レベルを超えていればステップＳ１０に進み、蓄積解除か否かチェックする。蓄積が解除されていなければステップＳ１１で蓄積カウンタを１つカウントアップし、ステップＳ１２で規定カウンタ例えば２カウントに達したか否かチェックし、２カウントに達すれば、ステップＳ１３で火災警報処理を行う。
【００３０】
一方、ステップＳ４〜Ｓ８の処理において、同一区画でアナログ煙感知器５及びアナログ熱感知器６の両方についてプリアラームレベルの判定結果が得られている場合には、ステップＳ１０で蓄積解除が判定され、直ちにステップＳ１３に進み、そのときの火災レベルの判定結果に基づき直ちに火災警報処理を行う。
ステップＳ４でプリアラームレベルでなかった場合には、ステップＳ１４で障害等のその他の処理を行って、再びステップＳ２に戻る。またステップＳ１３で火災警報処理が行われた後に、ステップＳ２で受信機１に設けている復旧スイッチのオンが判別されると、ステップＳ１５で復旧処理が行われる。
【００３１】
尚、本発明の火災報知装置は、同一警戒区域に設けているアナログ煙感知器５とアナログ熱感知器６の両方がプリアラームレベルへの到達したことを判定したときに受信機１における蓄積処理を解除して、その後の火災レベルの判定結果により直ちに真火災と判断できればよく、図２の機能ブロックや図３のフローチャートによる限定は受けない。
【００３２】
また図１の実施形態にあっては受信機１側でプリアラームレベルを判定しているが、アナログ煙感知器５及びアナログ熱感知器６側でプリアラームレベルを判定し、その判定結果を受信機１に送る場合についても、同様に適用できる。この点は火災レベルについても、同様に、アナログ煙感知器５及びアナログ熱感知器６側で判定してその判定結果を受信機１に送ることができる。
【００３３】
したがって、受信機１側にあっては、端末側で判定された煙と熱の各々のプリアラーム判定結果の両方が得られたときに続いて得られる火災レベルの判定結果の蓄積処理を解除して直ちに火災警報処理を行うようにできればよい。
【００３４】
【発明の効果】
以上説明してきたように本発明によれば、同じ警戒区域に設置しているアナログ煙感知器とアナログ熱感知器の両方についてプリアラームの判定結果が得られたときに、同じ警戒区域に設置している全てのアナログ火災感知器の蓄積処理を解除しており、煙と熱という異なった物理量を同時に判断していることから、誤報によって両方がプリアラームレベルに達するような確率は極めて低く、真火災を正確に判断することができる。
【００３５】
また煙と熱の両方のプリアラームレベルを判定すると火災レベルの判断結果に基づく蓄積処理を解除していることから、火災レベルへの到達で直ちに真火災と判断して火災警報等の必要な処理を行うことができる。この結果、誤報が少なく、真火災を迅速且つ確実に判断することができる。
【図面の簡単な説明】
【図１】本発明の実施形態のブロック図
【図２】図１の受信機に設けたＭ−ＣＰＵの機能ブロック図
【図３】本発明の処理動作のフローチャート
【符号の説明】
１：受信機
２−１，２−２：伝送路
３：中継器
４：オンオフ型火災感知器
５：アナログ煙感知器
６：アナログ熱感知器
７：発信機
８，９：会議室
１０：端末伝送部
１２：プロセッサ（ＭＰＵ）
１４：プリアラーム判定部
１６：プリアラームテーブル
１８：比較部
２０：火災レベル判定部
２２：蓄積カウンタ
２４：ＡＮＤ回路
２６：ＯＲ回路
【図１】
0003631329.tif 000002
【図２】
0003631329.tif 000003
【図３】
0003631329.tif 000004